(57)【要約】【課題】ディスク内容に関する情報を記載した資料等をディスクと共に紙ファイル等に保管する手段であって、書類と略同じサイズでディスクを安定に保持する、簡便かつ安価な保存手段を提供する。【解決手段】書類挟みを構成する可撓性シートに形成した２以上のスリットであって、スリットはディスクの直径に関して相互に異なる側にディスクの直径より狭い間隔で配設し、１のスリットの両端部を結ぶ距離は前記ディスクの直径より短く、ディスク端部を２以上のスリットに挿入して保持する。前記スリットは１以上の湾曲部もしくは多角形の一部からなる形状である。前記スリットのディスク中央から遠い側に、更に１以上のスリットを配設し、帯状のスリット舌片を形成した。【選択図】        図９
2004359332.tif 000002
【特許請求の範囲】
【請求項１】
ディスク状記録媒体を保持する構造において、可撓性シートに形成した２以上のスリットからなり、１のスリットの端部を結ぶ距離は前記ディスク状記録媒体の直径より短く、且つ配置して格納するディスク状記録媒体の直径に関して第１のスリットと第２のスリットは相互に異なる側に形成してなり、前記２以上のスリットに前記ディスク状記録媒体の一部を挿入して保持することを特徴とする、ディスク状記録媒体保持構造および保持体。
【請求項２】
ディスク状記録媒体を保持する構造において、可撓性シートに形成した２以上のスリットからなり、該スリットの端部は録媒体を配置して格納する領域の外部であって且つ該領域に外接する矩形領域内若しくは該矩形の辺上に配置してなることを特徴とする、請求項１に記載のディスク状記録媒体保持構造および保持体。
【請求項３】
前記スリットは１以上の湾曲部もしくは多角形の一部からなる形状のスリットであることを特徴とする、請求項１または２に記載のディスク状記録媒体保持構造および保持体。
【請求項４】
ディスク状記録媒体を保持する構造において、可撓性シートに形成した２以上のスリットからなり、直近のスリット端部相互を結ぶ最短距離はディスク状記録媒体の直径より短いことを特徴とする、請求項１または２に記載のディスク状記録媒体保持構造および保持体。
【請求項５】
前記スリットのディスク配置領域中央から遠い側に、更に１以上のスリットを配置したことを特徴とする、請求項１または２に記載のディスク状記録媒体保持構造および保持体。
【発明の詳細な説明】
【０００１】
【発明の属する技術分野】
本発明は、シート状材料を応用したホルダー若しくは収納部材に関するものであって、ディスク状記録媒体（以下ディスクと表記する）であるところのコンパクト・ディスク（以下ＣＤと表記する）やディジタル・バーサタイル・ディスク（以下ＤＶＤと表記する）および関連する書類を、収納し若しくは保管することを目的に利用するものである。
【０００２】
【従来の技術】
従来より、ＣＤ，ＤＶＤを保存する手段として、硬質樹脂からなる矩形ケース中央に掛止手段を配設し、該掛止手段にディスク中央部を嵌合・掛止して格納し、更に硬質樹脂からなる蓋を閉じることによって、ディスクを安全に保存する手法が一般的である。また、不織布と樹脂シートを溶着などの手段によって接着して形成したポケットに、ＣＤ，ＤＶＤを収納する方法も広く採用されている。
【０００３】
また、ＣＤ，ＤＶＤに格納して提供されるコンテンツの種類が豊富になり、ＣＤ，ＤＶＤは音楽等の芸術的なコンテンツや、高価なコンピュータソフトを提供する手段から、雑誌付録，社内のデータ保存，個人のデータバックアップ等の分野に、情報保存の手段として広く活用されつつある。これに応じて収納および保存の手段も、より一層簡便な手段が開発されつつある。
【０００４】
例えば、周縁部を相互に溶着一体化した表裏の被覆シートと、これら被覆シート間に介在され且これらに略一致する大きさ形状の不織布シートからなり、表裏の被覆シートの対向する複数箇所に、ＣＤの直径より長い範囲にわたってスリットを形成し、各スリットの下方域には、ＣＤより僅かに大径円の下半周に沿った区間に、被覆シートと不織布シートとを溶着してなる溶着支持部を形成してある（例えば特許文献１参照）。
【０００５】
また、不織布からなる基材シートと、該基材シート上に被覆することによって袋部を形成する被覆部材とを有し、該被覆部材は、基材シートに３方が接合されて一方が開口する第１袋が形成される第１被覆部材と、基材シートに一方が接合される第２被覆部材とを有し、該第１被覆部材の遊端部上に、該第２被覆部材の遊端部を配置してなるものも開示されてある（例えば特許文献２参照）。
【０００６】
また、厚紙等で形成された薄板状をなす本体部を央板部とし、該央板部の一側に折り返し可能に連続されＣＤを保持する折り返し板部と、該央板部の他側に折り返し可能に連続され前記折り返し部を覆うことが出来る蓋板部とを有するＣＤホルダーであって、前記折り返し板部にＣＤを出入自在に差し込んで挿入できる切り込み長さに形成した出入切り込み線と、該出入切り込み線により形成される開口部から差し込まれるＣＤの挿入量を規定してＣＤを支持する支持切り込み線とを形成し、該両切り込み線の間に存する帯状部と、該帯状部を除いた残りの前記折り返し板部との間で、前記ＣＤを挟装して保持されるように構成されたことを特徴とするＣＤホルダーが開示されてある（例えば特許文献３参照）。
【０００７】
【特許文献１】
特開平８−２６３６７号公報  （第２−３頁、第１図）
【特許文献２】
特開２００１−３３５０９０号公報  （第３頁、第１図）
【特許文献３】
特開２００１−１３０６７２号公報  （第２頁、第５図）
【０００８】
【発明が解決しようとする課題】
前記硬質樹脂からなる矩形ケースは、ＣＤ，ＤＶＤを流通に供する安全な手段として有効である。しかし、ＣＤ，ＤＶＤの保護を優先するために固有の寸法からなる形状を採用しており、大きさや縦横比において書籍や書類などの規格とは異なる形状を採用してなる。従って、保存および保管において書籍や書類等との整合性が悪く、別途保管する必要があった。
【０００９】
また、ディスクを取り扱う場合には、ディスクの内容を記載した関連資料が不可欠である。しかし、前記硬質樹脂を用いたケースにおいては、収納できる書類の大きさと頁数に制限があるため、書類の収納力は低く、１〜２枚のＡ４版若しくはＢ５版の書類に限定され且つ、これを小さく折り畳まなければならなかった。
【００１０】
また、前記不織布と樹脂シートからなる収納手段は、不織布と樹脂シートとを溶着して、ディスク直径より僅かに大きいポケットを形成してなるものであり、ディスクの保存のみを目的に構成したものである。したがって、関連する資料などのドキュメント類を同時に収納することができない。
【００１１】
さらに、従前の保存手段は共に、搬送や保存においてＣＤ，ＤＶＤの読み取り面への傷や指紋の付着防止を最優先にした保存手段であって、静的に保存して使用する場合には、過剰な機能であった。
【００１２】
すなわち、ＣＤプレーヤに搭載される光ピックアップに用いられる対物レンズの開口比は、Ｎａ＝０．４５であり、ディスクの読み取り面に配設される補護層の厚さは１．２ｍｍであって、ピットの幅は０．５〜０．８μｍである。従って、読み取り時にピット情報を０又は１に判定する閾値を１／２とすると、即ちピット幅の半分に該当する幅の傷若しくは汚れが補護層に付いたとすると、ピット幅を０．５μｍとして、補護層の上では約６００μｍの幅の傷に該当する。通常は、情報が擾乱されることがない傷の幅として、安全のため約１００μｍの幅の傷まで安定に読み出すことが出来るとされている。
【００１３】
また、厚紙等で形成した帯状部を有する収納手段によると、ノベルティ商品等の広告宣伝手段および郵送においては有用であるが、ディスクを挿抜する方向に関して位置を規制する手段が無いため、ディスクを安定に保存するためには蓋部を構成する部材が不可欠である。しかし、ディスクを保持することのみを目的とする場合、該蓋部は不要な部材である。更に複数のホルダーを、一の書類綴じ若しくはファイルに綴じ込む保存方法には、不適当であった。
【００１４】
以上のように、エンドユーザの手元で大量のＣＤ，ＤＶＤとその関連資料を、静的に保存・管理するための軽快で簡便な手段が、提供されていなかった。本願発明は、エンドユーザがＣＤ，ＤＶＤを静的に保存して扱う場合に生ずる上記の不都合を取り除くことを目的になしたものである。
【００１５】
【課題を解決するための手段】
上記の問題を解決するために本発明は、ディスクを保持する構造において、書類挟みを構成する可撓性シートに形成した２以上のスリットからなり、１のスリットの端部を結ぶ距離は前記ディスクの直径より短く、かつ配置して格納するディスクの直径に関して第１のスリットと第２のスリットは相互に異なる側に形成してなり、前記２以上のスリットに前記ディスクの一部を挿入して保持する、ディスク状記録媒体保持構造および保持体を提供する。
【００１６】
また、前記スリットに関しては、ディスクを保持する構造において、書類挟みを構成する可撓性シートに形成した２以上のスリットからなり、該スリットの端部はディスクを配置して格納する領域の外部であって且つ前記領域に外接する正方形が取り囲む領域内若しくは該正方形の辺上に配置してなる保持構造を提供する。
【００１７】
上記のスリット形状は１以上の湾曲部もしくは多角形の一部からなる形状の舌状のスリットであることを許容する、ディスク保持構造および保持体である。
【００１８】
また、ディスクを保持する構造において、前記可撓性シートに形成した２以上のスリットからなり、直近のスリット端部を結ぶ最短距離がディスクの直径より短く、前記２以上のスリットに前記ディスクの一部を挿入して保持する手段を提供する。
【００１９】
前記スリットの、ディスク配置領域中央から遠い側に更に１以上のスリットを配置したことを特徴とする、ディスク保持構造および保持体である。
【００２０】
【発明の実施の形態】
以下、本発明の実施例について説明する。
（第１の実施例）  図１は本発明に係る収納構造の一実施例の正面図であって、書類挟みを構成する１枚の可撓性シートに２枚のディスクを収納する場合の例である。ＣＤ，ＤＶＤ等のディスクは、ディスク格納領域１に配置して格納される。本実施例におけるスリットは、端部３，４を直線状のスリットで表してあり、端部３，４は、ディスクの位置を規制する。本実施例では、端部３，４を結ぶ線分はスリット２に挿入するディスクの直径に該当する寸法５よりも短い線分として形成してある。
【００２１】
スリット６は、スリット２と同様にディスクの直径より短い直線状のスリットとして形成してある。スリット６の端部も、スリット２の端部と同様に形成してある。またスリット６はディスクの直径を表す寸法線５に関してスリット２と相互に異なる側に形成してある。
【００２２】
ディスクを挿入して掛止すると、ディスクの位置はスリットの端部によって規制される。スリット端部の位置は、ディスクを挿抜する作業を円滑なものにするため、ディスク格納領域１の半径方向に余裕がある配置にしてある。このため、本発明ではスリットの端部を、前記ディスクを配置して格納する円形領域１の外部であって、且つ前記領域に外接する正方形４０が取り囲む領域内に配置した。本発明においてディスクを配置して格納する領域１は、円形であるが、楕円もしくは長円に設定しても良い。スリット端部は、前記外接正方形の辺上にあっても、ディスクとの間に生ずる余裕は、ディスク厚に対応する寸法として充当されるため（マチに該当する）、ディスクを安定に保持することが出来る。
【００２３】
本実施例において、１のスリットと円形領域中央との距離は、ディスクを配置する領域１の中央８とスリットとの距離をｄ（図中符号９），ディスクの直径をＤ，スリット長（スリット端部間の距離）をｓとして、
【数１】｛√（Ｄ２−ｓ２）｝／２＜ｄ＜Ｄ／２    ただし、ｓ＜Ｄ
とした。数式１は、デイスク挿入時にディスク厚さに該当するマチが必要であるため、下限および上限に等号を含まない。また、ディスクを安定に保持するため、上限をディスクの半径に設定した。
【００２４】
より好ましくは、ｄの上限はディスク直径の４３％以下（直径１２ｃｍのディスクにおいては５１．６ｍｍ以下）である。この時スリット長ｓは、半径よりも大きくなり、ディスク中央からスリットを見込む角度が６０°を越え、ディスクをより安定に保持する。
【００２５】
本実施例に使用した可撓性シートの材質は、通常の使用環境である室温においてディスクを傷つけないよう、ディスク材質より柔らかい材質を用いた。具体的には、厚さが０．１８ｍｍのポリプロピレンシートを用いたが、その他の厚さ及び、その他の素材からなる樹脂シートであってもかまわない。すなわち、ディスク材質は、通常はポリカーボネートもしくはポリ塩化ビニル（ＰＶＣ）またはアクリル樹脂（ＰＭＭＡ：Ｐｏｌｙｍｅｔｈｙｌ  ｍｅｔｈａｃｒｙｌａｔｅ）が用いられるため、これらの材料より柔らかい材質からなる樹脂シートを用いる。
【００２６】
更に第１のスリットと第２のスリットが平行である場合は、第１のスリット端部間の距離をｓ１とし、第２のスリット端部間の距離をｓ２とするとき、２つのスリット間の距離ｄ２は、
【数２】｛√（Ｄ２−ｓ１２）＋√（Ｄ２−ｓ２２）｝／２＜ｄ２＜Ｄ
ただし、ｓ１＜Ｄ  かつｓ２＜Ｄ
となるようにした。数式２に示すスリット間距離の関係により、ディスクは安定に保持される。
【００２７】
本実施例にディスクを挿入して保持する場合の作用について、図２を用いて説明する。図２ａは、ディスク１１の一端を、第１のスリット６に挿入し、同時に第２のスリット２を開口した状態である。図２ｂは、図２ａのａ−ａ断面およびｂ−ｂ断面を示す。図２ｃは図２ａのｃ−ｃ断面を示す。ディスクはスリット６の端部によって、挿入量とスリット方向（スリットの両端部を結ぶ直線方向）の動きが規制される。
【００２８】
スリット２の開口は、スリットのディスク中心から遠い方の辺を、可撓性シートに対して垂直にディスク側に引き上げ、撓ませて開口せしめた状態である。スリット２は、周囲のシートとスリット両端部３，４に規制されて、図２ｂの２ｕ，２ｖに示す様に開口する。ディスク側に持ち上げたスリット縁辺は２ｕのように開口し、他方のスリット縁辺は２ｖのように２ｕとは反対の方向に撓む。
【００２９】
ｃ−ｃ方向の長さはシート全体で規制されているため、したがって、スリット２は斜め方向（図２ｃ矢印ｕ，ｖ方向）に開口する。この結果、スリット開口の大きさはディスク面内の半径方向の成分を得て、該半径方向に開口を与える。よって、２つのスリット（２，６）間の開口の限界は、Ｐ−ＳからＰ−Ｑに、図中符号ｔの増分だけ拡大される。この結果、一端をスリット６によって規制したディスク１１の他端を、スリットの当初位置Ｓを越えて、空間内の点Ｑにおいてスリットに係合することが出来る。
【００３０】
スリット２に係合したディスク１１は、図３に示すように、可撓性シート７の弾性によってスリット２の深部へ付勢して案内される。以上のように可撓性シートに形成した２つのスリットを用いて、シートを撓ませてスリットを開口させ、剛体であるディスク周縁部を横断するように保持するため、これまでに無い保持方法を提供する。
【００３１】
（第２の実施例）  図４に湾曲部を有する弧状スリット１２を形成した例を示す。弧状スリットは、ディスクを保持して収納する円形領域の中央側に向って凸であるように形成してある。凸部中央にスリットを持ち上げるための摘みとなる突部１５を形成しても良い。あるいは凸部中央にスリットを持ち上げるための引っ掛かりとなる凹型の切り欠き３８を入れても良い。スリット材質は、実施例１に記載したシートと同じであって、厚さ０．１８ｍｍのポリプロピレンシートを用いたが、その他の厚さ及び、その他の素材からなる樹脂シートであってもかまわない。
【００３２】
スリット端部１３，１４は、前記円形領域の外部であって、且つ該円形領域に外接する正方形４０が取り囲む領域内若しくは該正方形の辺上に、配置してある。本実施例において弧状スリット１２は、ディスク直径と同じ直径１２ｃｍの円の一部とし、スリット長（端部１３，１４を結ぶ距離）を１０ｃｍとしたが、その他の形状の曲線の一部であっても差し支えない。
【００３３】
ディスクの挿入は、次の手順によって行なう。
（ステップ２−１）  ディスクの端部を、片方の弧状スリット１６の両端まで、傾斜状態を保って挿入する。
（ステップ２−２）  他方の弧状スリットを持ち上げ、開口を形成し、ディスク他端の上部に被せる。弧状スリットおよび可撓性シートの弾性によって、ディスクはスリット深部に案内され、安定に掛止・保持される。
【００３４】
以上のように弧状スリットを用いることにより、ステップ２−１においてディスク端部がスリットを捉える契機を得易くなる。更にステップ２−２において、スリット縁辺を持ち上げたとき、実施例１において説明したように、ディスク面内方向に開口増分を付与する。更に弧状スリットの舌片をシート７の垂直方向に捲るため、ディスクに対して大きな開口を得る。また、ディスクを格納保持した状態において、スリット端部を結ぶ直線から舌状縁端部（ディスク中央側）の領域に弾性保持力が作用するため、一層安定にディスクを保持することが可能である。
【００３５】
図５に、本実施例の変形実施例である矩形状のスリットを形成した例を示す。矩形スリット１７は、ディスクを保持して収納する円形領域の中央側に向って凸であるように形成してある。スリット端部１８，１９は、前記円形領域の外部であって、且つ該円形領域に外接する正方形４０が取り囲む領域内若しくは該正方形の辺上に、配置してある。本実施例において矩形スリット１７のスリット長（端部１８，１９を結ぶ距離）は１０ｃｍとした。スリットの形状は本実施例に開示の円弧もしくは矩形に限らず、三角形，台形，その他の多角形の一部であっても同様の効果を発現する。
【００３６】
（第３の実施例）  図６に３方向に弧状スリットを配置した実施例を示す。本実施例においては、各スリットの端部の少なくとも片側を、ディスクを保持して収納する円形領域の外部であって且つ該円形領域に外接する正方形が取り囲む領域内若しくは該正方形の辺上に配置した。
【００３７】
弧状スリット２０，２１，２２の端部の内、スリット端部２３，２５，２８は上記外接正方形の内部に、スリット端部２４，２６，２７は前記外接正方形の外部に配置した。本実施例では、３つのスリット端部によってディスクの位置を規制する。スリット形状は、円弧に限らず矩形，三角形，台形，その他の多角形であっても同様の効果を発現する。
【００３８】
（第４の実施例）  図７ａは、ディスク配置領域の中央から遠い側に更に１以上のスリットを配置した一例であって、弧状スリット２９の湾曲内部に更に弧状スリット３２を配置した例である。弧状スリット３２の替わりに直線スリットであっても、曲線を組合わせたスリットであっても、多角形からなるスリットであっても差し支えない。図７ｂは、図７ａのｄ−ｄ断面を示す。図８にディスクの一端をスリット１６に係合して、他端がスリット２９に案内されてスリット深部に進む状態を示す。
【００３９】
図７ａにおいて、弧状スリット１６の端部１３，１４および、弧状スリット３２の端部３３，３４は、ディスクを保持して収納する円形領域の外部であって且つ、該円形領域に外接する正方形が取り囲む領域内に配置してある。弧状スリット２９の端部３０，３１は、前記正方形が取り囲む領域外であってもかまわない。
【００４０】
本実施例において弧状スリット１６は、ディスク直径と同じ直径１２ｃｍの円の一部とし、スリット長（端部１３，１４を結ぶ距離）を１０ｃｍとした。弧状スリット２９は直径１２ｃｍの円の一部とし、スリット長（端部３０，３１を結ぶ距離）を１０．５ｃｍとした。弧状スリット３２は直径６ｃｍの縁の一部とし、スリット長を５ｃｍとした。
【００４１】
ディスクの挿入は、次の手順によって行なう。
（ステップ４−１）  ディスクの端部を、弧状スリット１６に係合し、スリットの両端１３，１４まで、傾斜状態を保って挿入する。
（ステップ４−２）  弧状スリット２９を持ち上げ、開口を形成し、ディスク他端の上部に被せる。弧状スリット２９の弾性によって、ディスクはスリット深部に案内されて掛止・保持される。
【００４２】
実施例２に記載したとおり、弧状スリットを用いることにより、ディスク端部がスリットを捉える契機を得易くなる。更にスリット２９の縁辺を持ち上げたとき、ディスク面内方向に開口増分を構成する。
【００４３】
このとき、第２の弧状スリット３２は、弧状スリット２９の舌片をシート７の垂直方向にめくり易くする作用を発現する。即ち、弧状スリット３２が無い場合には、弧状スリット２９を持ち上げた際に、該スリットが形成する舌片はｄ−ｄ方向と直交する方向に湾曲し、管状構造の一部を成す。このため、持ち上げたスリットの剛性が高くなる。しかし、弧状スリット３２を配置することにより、前記管状構造が解消され、３１−３４および３０−３３を結ぶ線分領域で、舌片が湾曲し易くなる。従って、ディスクに対して大きな開口を得易くなる。
【００４４】
ディスクが弧状スリットに係合した後、ディスクはスリット２９の深部に案内される。ディスクが弧状スリット３２にまで案内されたとき、シート７に垂直の方向に捲れたスリット舌片とディスクとの間の接触の態様が変化する。すなわちスリット２９の舌片がディスクに与える力は、ディスクが弧状スリット３２に達する迄は、ディスクと接触して案内する１点であって、ディスクを半径方向かつシートに垂直な方向に押し付ける力である。しかし図８に示すように、ディスクが弧状スリット３２に達した後は、ディスク周縁部の２点（５０，５１）において、ディスクの縁辺を半径方向に押しつける力と、シートに垂直な方向に押しつける力と、ディスクの周方向に位置決めを行なう力に変化する。この結果、可撓性シートが有する弾性力により、ディスク格納動作が付勢され、且つディスクをスリット中央に案内しするため、容易に格納を行なうことが出来る。
【００４５】
更に、スリット３２の端部をディスク直近に設定するため、ディスク保持状態において、スリット２９，３２間の帯状領域に発生する分布性の弾性保持力が、スリット３２の端部（３０，３１）とディスク接触点（５０，５１）間に作用する「てこの原理」によって、集中的に強く作用するため、強いディスク保持力を得る。
【００４６】
また格納過程においては、スリット２９によって形成した舌片を持ち上げ、スリット３２によって形成した舌片には力を与えていない。従ってスリット３２は、可撓性シートと同一面に姿勢を保つ。この結果、ディスクは図７ｂに示すように、スリット３２によって形成した舌片とスリット２９によって形成した舌片が構成する開口に嵌まり込む。
【００４７】
スリット１６が形成する舌片はディスク１１の第１の面に覆い被さり、スリット間の可撓性シートはディスク１１の第２の面に配置され、スリット２９が形成する舌片はディスクの第１の面に被さり、スリット３２が形成する舌片はディスクの第２の面に配置される。このようにして、ディスクは４つの端部１３，１４，３３，３４によって規制され、安定に掛止・保持される。
【００４８】
（第５の実施例）  図９に本発明の応用実施例としてのディスク保自体を示す。前記スリットを形成した可撓性シート７の残部３５を折り返してなる第２面の端部のうち、折り目部分を除いた３辺のうち少なくとも１辺をスリットを形成した第１面と接着してなることを特徴とする、請求項１から５に記載のディスク状記録媒体を保持する構造を有することを特徴とする、ディスク保持体である。残部３５に、請求項１から５の何れかに記載のスリットを形成しても差し支えない。
【００４９】
接着部３６は、縁辺の１を辺の全長に亙って接着してもかまわない。本実施例では溶着の方法により接着してあり、２以上の箇所を離散して接着したため、砂塵等を排出し易い構造である。また、ディスク収納時に、スリット３２が形成する舌片は折り返し内部に向けて配置されるため、図中３７の方向から書類を挿入する際に、ディスクに引っ掛かることが無く、円滑に挿入し得る。パンチ穴４１，４２を用いて、他の書類と共に綴じることが可能である。
【００５０】
シート残部３５に別のシートを用いても同様である。前記スリットを形成した第１の可撓性シートと、第２のシート状部材とからなり、４辺のうち２以上の辺において接着してなることを特徴とする、請求項１から５に記載のディスク状記録媒体を保持する構造を有することを特長とする保持体は、本実施例と同様の効果を発揮する。
【００５１】
【発明の効果】
この発明によれば、ディスクの直径に関して相互に異なる側に配置したスリットによって４点からディスクの位置を規制するため、１枚の可撓性シートにディスクを安定に保持することが出来る。更にシートが撓むことによって、スリット開口部のディスク面内方向に開口成分を得るため、剛体であるディスクを従来に無い手段で保持する手法を提供する。
【００５２】
スリット端部の位置を、ディスク配置領域外であって該領域に外接する正方形の内部もしくは辺上に規程したため、ディスク位置を正確に規制し、保持体内部でのディスクの遊びを少なくする効果を発揮する。
【００５３】
湾曲部もしくは多角形の一部からなるスリットをもちいることによって、ディスクに対してより大きな開口を与えることが可能になり、かつ、スリットの舌片が有する弾性力がディスク保持に寄与するため、一層安定にディスクを保持する手段を提供し得る。
【００５４】
２以上のスリットの直近の端部を結ぶ最短距離をディスク直径よりも小さくしたため、スリット長がディスクの直径より大きいスリットによって、操作性の良い大きな舌片を形成した３以上のスリット端部を用いて、ディスクを安定に保持する手法を提供する。
【００５５】
湾曲部もしくは多角形の一部からなる形状のスリットの内部に更にスリットを配置することにより、ディスク格納時にディスク格納動作が付勢され容易に格納を行なうことが出来ると共に、スリット端部とディスク接触点間に作用する「てこの原理」によって２つのスリットが形成する帯状領域に発生する弾性力が増強されて一層強いディスク保持力を得る。また、帯状領域はディスク中央に近いスリットを大きく設定することが可能であって、管状構造の一部を構成しにくいため、撓ませ易い。したがって、スリット舌片を持ち上げて開口を構成する際に、より大きな開口を容易に得ることが出来る。
【００５６】
本願に開示のスリットを構成したシートを用いて形成したホルダーは、より多くの書類を同時に綴じることが出来るため、ディスクに格納したコンテンツを管理し易い特徴を有する等の効果を奏する。
【図面の簡単な説明】
【図１】本発明に関る第１の実施例を表す正面図である。
【図２ａ】第１の実施例において、ディスク挿入時のスリットの姿態を表す図である。
【図２ｂ】第１の実施例において、スリット開口状態を表す断面図である。
【図２ｃ】第１の実施例において、ディスク挿入時のスリットの作用を表す図である。
【図３】第１の実施例においてディスクを案内した状態を表す図である。
【図４】本発明に係る第２の実施例を表す図である。
【図５】第２の実施例の変形実施例を表す図である。
【図６】本発明の第３の実施例を表す図である。
【図７ａ】本発明の第４の実施例を表す図である。
【図７ｂ】第４の実施例のｄ−ｄ断面を表す図である。
【図８】第４の実施例におけるディスク格納過程を表す図である。
【図９】本発明の第５の実施例を表す図である。
【符号の説明】
１  ディスク格納領域
２，６  スリット
３，４，  スリット端部
５  ディスク直径
７  可撓性シート
８  ディスク格納領域の中央
９  ディスク格納領域の中央とスリットとの距離
１０  スリット長
１１  ディスク
１２，１６  弧状スリット
１３，１４  スリット端部
１５  摘みとなる突部
１７  矩形スリット
１８，１９  スリット端部
２０，２１，２２  弧状スリット
２３，２４，２５，２６，２７，２８  スリット端部
２９，３２  弧状スリット
３０，３１，３３，３４  スリット端部
３５  シート残部
３６  接着部
３７  書類挿入方向
３８  凹型の切り欠き
４０  外接正方形
４１  パンチ穴
５０，５１  ディスクとの接点
【図１】
2004359332.tif 000003
【図２ａ】
2004359332.tif 000004
【図２ｂ】
2004359332.tif 000005
【図２ｃ】
2004359332.tif 000006
【図３】
2004359332.tif 000007
【図４】
2004359332.tif 000008
【図５】
2004359332.tif 000009
【図６】
2004359332.tif 000010
【図７ａ】
2004359332.tif 000011
【図７ｂ】
2004359332.tif 000012
【図８】
2004359332.tif 000013
【図９】
2004359332.tif 000014